(57)【要約】【課題】絞り羽根の駆動時間の短縮および消費電力を低減することができる光学機器を提供する。【解決手段】この光学機器は、絞り羽根１０４ａと、絞り羽根１０４ａを移動させる開閉機構と、開閉機構を駆動させるアクチュエータとを有するレンズ鏡筒１０１を含む光学機器であって、アクチュエータの駆動を制御する制御手段１０５と、撮影可能な状態から一部通電状態の第１のモード３０６へ撮影のモードを切り替える切替手段３０２と、を備え、制御手段１０５は、切替手段３０２が第１のモード３０６へ切り替える際に、絞り羽根１０４ａの位置を開放絞り位置および最小絞り位置を除く第１の絞り位置で停止するようにアクチュエータの駆動を制御する。【選択図】図２
2015094923.tif 000002
【特許請求の範囲】
【請求項１】
絞り羽根と、前記絞り羽根を移動させる開閉機構と、前記開閉機構を駆動させるアクチュエータとを有するレンズ鏡筒を含む光学機器であって、
前記アクチュエータの駆動を制御する制御手段と、
撮影可能な状態から一部通電状態の第１のモードへ撮影のモードを切り替える切替手段と、
を備え、
前記制御手段は、前記切替手段が前記第１のモードへ切り替える際に、前記絞り羽根の位置を開放絞り位置および最小絞り位置を除く第１の絞り位置で停止するように前記アクチュエータの駆動を制御する
ことを特徴とする光学機器。
【請求項２】
前記制御手段は、前記切替手段が前記第１のモードへ切り替える際に、前記絞り羽根の位置が前記開放絞り位置または前記最小絞り位置である場合には、前記絞り羽根を前記開放絞り位置または前記最小絞り位置の中間の位置である第２の絞り位置で停止するように前記アクチュエータの駆動を制御する
ことを特徴とする請求項１に記載の光学機器。
【請求項３】
前記切替手段が前記第１のモードから前記撮影のモードを切り替える場合には、前記第１の絞り位置または前記第２の絞り位置から前記絞り羽根の移動を開始するように前記アクチュエータの駆動を制御する
ことを特徴とする請求項１または２に記載の光学機器。
【請求項４】
前記絞り羽根の位置を検出する検出手段
をさらに備え、
前記制御手段は、前記切替手段が前記第１のモードへ切り替える際に、前記検出手段が検出した前記絞り羽根の位置が前記第１の絞り位置か否かを判定することにより、前記絞り羽根を前記第１の絞り位置で停止させる、または前記第２の絞り位置で停止させる
ことを特徴とする請求項１または２に記載の光学機器。
【請求項５】
画像を表示する表示手段をさらに備え、
前記切替手段は、前記第１のモードへ切り替える際に、前記表示手段を通電させた状態で前記撮影のモードを切り替える
ことを特徴とする請求項１〜４いずれか１項に記載の光学機器。
【請求項６】
前記切替手段は、前記撮影可能な状態から所定の時間、操作がなされない場合には、前記第１のモードへ切り替える
ことを特徴とする請求項１〜５いずれか１項に記載の光学機器。
【請求項７】
前記切替手段は、前記第１のモードに切り替えてから所定の時間、操作がなされない場合には、電源を切る第２のモードへ切り替える
ことを特徴とする請求項６に記載の光学機器。
【発明の詳細な説明】
【技術分野】
【０００１】
本発明は、絞り制御手段を有する光学機器に関し、特に、撮影状態へ移るまでの絞りの駆動時間を短縮する技術に関するものである。
【背景技術】
【０００２】
従来、カメラ用交換レンズを装着したカメラの連続した撮影間のタイムラグが発生する要因の一つに、絞りの駆動時間が挙げられる。そこで、絞りの駆動時間を短縮する制御をすることで、連続した撮影におけるタイムラグを少なくし、また消費電力を低減する方法が提案されている。
【０００３】
例えば、特許文献１では、可動絞りの初期値を可動絞りの開放状態と最小絞り込み状態の中間値に設定し、連写時には撮影終了後に可動絞りを中間値に直接駆動させ、連写時のタイムラグを小さくするとともに消費電力を少なくするカメラが開示されている。
【先行技術文献】
【特許文献】
【０００４】
【特許文献１】特開１９９４−１６９４２８号公報
【発明の概要】
【発明が解決しようとする課題】
【０００５】
しかしながら、特許文献１では、連写時におけるタイムラグは小さくなるが、それ以外の場合におけるタイムラグについては言及されていない。例えば、撮影状態になるまでのタイムラグは、連続した撮影時以外では、カメラ用交換レンズにおいて絞り羽根が一定時間、操作部からの入力がない時に電力の浪費を防ぐオートパワーオフ時や電源オフ時に、開放または最小絞りまで移動している場合である。この場合、ライブビュー（ＬＶ）の表示で復帰する際に目標位置に移動するのに時間が掛かってしまうことがある。
【０００６】
そこで本発明は、上記の課題に鑑みてなされたものであり、絞り羽根の駆動時間の短縮および消費電力を低減することができる光学機器を提供することを目的とする。
【課題を解決するための手段】
【０００７】
上記課題を解決するために、本発明の光学機器は、絞り羽根と、絞り羽根を移動させる開閉機構と、開閉機構を駆動させるアクチュエータとを有するレンズ鏡筒を含む光学機器であって、アクチュエータの駆動を制御する制御手段と、撮影可能な状態から一部通電状態の第１のモードへ撮影のモードを切り替える切替手段と、を備え、制御手段は、切替手段が第１のモードへ切り替える際に、絞り羽根の位置を開放絞り位置および最小絞り位置を除く第１の絞り位置で停止するようにアクチュエータの駆動を制御することを特徴とする。
【発明の効果】
【０００８】
本発明によれば、消費電力を低減する省電モードを設け、撮影状態へ復帰する際の絞り羽根の移動距離を短くすることで、絞り羽根の駆動時間を短縮し、撮影までのタイムラグを小さくし、さらに消費電力を低減することができる光学機器を提供することができる。
【図面の簡単な説明】
【０００９】
【図１】本発明の一実施形態に係る光学機器の全体構成を示す図である。
【図２】光学機器の絞り動作を説明するフローチャートである。
【図３】絞り目標位置が開放側にある場合の駆動を示す図である。
【図４】絞り目標位置が最小絞り側にある場合の駆動を示す図である。
【図５】検出位置が開放絞り位置にある場合の駆動を示す図である。
【発明を実施するための形態】
【００１０】
以下、本発明を実施するための形態について図面などを参照して説明する。
【００１１】
（第１実施形態）
まず、図１および図２を参照して、本実施形態に係る光学機器の構成およびその絞り制御について説明する。図１は、本実施形態に係るレンズ鏡筒およびカメラの構成を示す図である。本実施形態では、カメラとは、動画や静止画を撮影して内部メモリーやＳＤカード等の様々なメディアに記録する、いわゆるビデオカメラやデジタルスチルカメラ等を総称してカメラと呼ぶ。
【００１２】
まず、レンズ鏡筒１０１は、固定レンズ１０２と、フォーカスレンズ１０３と、絞りユニット１０４と、像ブレ補正レンズ１０９と、を備える。絞りユニット１０４は、絞り羽根１０４ａを開閉方向に移動する不図示の開閉機構と、開閉機構を駆動する不図示のアクチュエータとを有する。その他に、レンズ鏡筒１０１は、レンズ全体の駆動制御や計算を行うレンズ側メインＣＰＵ（制御手段）１０５と、絞り制御手段１０６と、像ブレ補正制御手段１０７と、フォーカスレンズ制御手段１０８と、を備える。
【００１３】
メインＣＰＵ１０５から絞り制御手段１０６、像ブレ補正制御手段１０７、フォーカスレンズ制御手段１０８へ指示を出し、フォーカスレンズ１０３、絞りユニット１０４、像ブレ補正レンズ１０９の駆動制御を行う。絞り制御手段１０６は、絞り位置を検出し、絞り羽根１０４ａを開放側または最小絞り側へ駆動させる。また、絞り制御手段１０６は、カメラ３０１が不図示のメカシャッターが有する場合、オートパワーオフ、電源オフ時に絞り羽根１０４ａを、最も開放された位置（以下開放絞り位置）へ駆動させる。
【００１４】
後述のカメラ３０１が不図示のメカシャッターを有さない場合、最も絞り込まれた位置（以下最小絞り位置）へ駆動させる。これは、カメラ３０１内部に到達する光線を減光し、撮像素子３０７の劣化を防ぐためである。レンズ鏡筒１０１は、マウント２０１を介してカメラ３０１に固定され、レンズ鏡筒１０１内の光学部材を通して、カメラ３０１に保持されている撮像素子３０７上に結像することで被写体の撮像を行う。
【００１５】
カメラ３０１は、カメラ側ＣＰＵ（切替手段）３０２と、操作部３１０と、主電源３０４と、撮像素子３０７上に結像した被写体を表示する表示手段であるライブビュー（ＬＶ）３０８と、不図示の記録用メディアなどを備える。操作部３１０は、レリーズボタン３０３と、操作ボタン３０９と、を備える。
【００１６】
また、カメラ３０１は、電力の浪費を抑えるために、操作部３１０が最後に操作されてから一定時間（所定の時間）、入力がなかった際に移行する、オートパワーオフ（第２のモード）３０５および省電モード（第１のモード）３０６の機能を備えている。撮影可能な状態から省電モード３０６に移行する場合、ライブビュー３０８は、表示されたままの状態で（一部通電状態で）維持され、像ブレ補正制御手段１０７やフォーカスレンズ制御手段１０８への通電、測光などがオフとなる。
【００１７】
一方、オートパワーオフ３０５へは、省電モード３０６に移行してから、さらに一定時間、操作が行われなかった際に移行し、オートパワーオフ３０５に移行すると、カメラの電源が切れる。レリーズボタン３０３は、２段押しの構造となっており、１段目をＳＷ１とし、２段目をＳＷ２とする。ＳＷ１では、省電モード３０６から撮影状態への復帰や撮影開始準備の指示（例えば、手ぶれ補正の開始やオートフォーカスの開始、測光の開始など）が行われる。一方、ＳＷ２では、撮影を行い記録メディアへの画像、動画等の記録指示を行う。また、操作ボタン３０９を操作する事で、カメラの設定変更などを行ってもよい。そして、マウント２０１に設けられた不図示の接点ブロックを介して、カメラ側メインＣＰＵ３０２からレンズ鏡筒１０１に電力の供給やその他撮影情報のやり取りをレンズ側メインＣＰＵ１０２と行っている。
【００１８】
次に、図２を参照して、絞りの制御について説明する。まず、図２のステップＳ００１で、レンズ側メインＣＰＵ３０２は、レリーズボタン３０３でＳＷ１の操作が実行されたか否かを判定する。ＳＷ１の操作が実行された場合（ＹＥＳ）、ステップＳ００２へ進み、ＳＷ１の操作が実行されていない場合（ＮＯ）、ステップＳ００５へ進む。ステップＳ００２で、測光・測距が行われ撮影情報を取得し、取得した撮影情報に基づいてレンズ側メインＣＰＵ１０５とカメラ側メインＣＰＵ３０２間で該撮影情報のやり取りを行う。そして、該撮影情報に基づいて絞り補正制御手段１０６、フォーカスレンズ制御手段１０８によってそれぞれ絞り補正とフォーカスレンズの制御が行われる。このとき、必要に応じて像ブレ補正制御手段１０７による像ブレ補正制御が行われてもよい。
【００１９】
次に、ステップＳ００３で、レリーズボタン３０３でＳＷ２の操作が実行されたか否かを判定する。ＳＷ２の操作が実行された場合（ＹＥＳ）、ステップＳ００４へ進み、ＳＷ２の操作が実行されていない場合（ＮＯ）、ステップＳ００１に戻る。そして、ステップＳ００４で、撮影が行われ、撮影された被写体画像の保存または破棄を行い撮影終了となり、ステップＳ００５へ進む。
【００２０】
次に、ステップＳ００５で、ステップＳ００４で撮影が終了してから予め設定された第１の設定時間内に操作部３１０が操作されたか否かを判定する。設定時間は、カメラ側メインＣＰＵ３０２に予め設定しておいてもよく、ユーザーが自由に設定できる時間であってよい。操作部３１０の操作が行われた場合（ＮＯ）、ステップＳ００１へ戻り、操作部３１０の操作が行われない場合（ＹＥＳ）、ステップＳ００６へ進む。
【００２１】
予め設定された第１の設定時間内に操作が行われない場合は、後述のステップＳ００７にて省電モード３０６への移行準備が行われる。移行準備として、まず、ステップＳ００６で、絞り制御手段１０６により絞り羽根１０４ａの位置検出が行われる。そして、ステップＳ００７へ進み、ステップＳ００７で、ステップＳ００６において検出された絞り羽根１０４ａの位置が第１の絞り位置であるか否かを判定する。ここで、本実施形態において、第１の絞り位置とは、絞りユニット１０４において、開放絞り位置または最小絞り位置を除く位置を指す。第１の絞り位置である場合（ＹＥＳ）、ステップＳ００８へ進み、第１の絞り位置でない場合（ＮＯ）、ステップＳ００９へ進む。
【００２２】
ステップＳ００７で、絞り羽根１０４ａの位置が第１の絞り位置と判定された場合（ＹＥＳ）、絞りユニット１０４は、絞り羽根１０４ａの位置を維持し、ステップＳ０１０へ進む。一方、ステップＳ００７で、絞り羽根１０４ａの位置が第１の絞り位置ではない、すなわち、開放絞り位置または最小絞り位置であると判定された場合（ＮＯ）絞りユニット１０４は、絞り羽根１０４ａの位置を第２の絞り位置へ移動させる。ここで、本実施形態において、第２の絞り位置とは、絞りユニット１０４において、開放絞り位置と最小絞り位置との中間の位置とする。絞り羽根１０４ａの位置を第２の絞り位置にすることで、開放絞り位置または最小絞り位置どちら側へ移動するにしても、最大移動量が従来の約半分になるため、絞り羽根１０４ａの駆動量を減らすことができる。
【００２３】
従って、駆動量が減ることで、絞り羽根１０４ａの駆動時間を短縮することができる。また、絞り羽根１０４ａを中間の位置に駆動させることで、開放絞り位置よりピントの合う範囲が広く、最小絞り位置より明るい状態で省電モード３０６に移行することができる。
【００２４】
次に、ステップＳ０１０で、カメラ３０１は、省電モード３０６へ移行しステップＳ０１１へ進む。このとき、ライブビュー３０８は、表示されたままの状態とする。そして、ステップＳ０１１で、操作部３１０が最後に操作されてから予め設定された第１の設定時間より長い第２の設定時間内に、レリーズボタン３０３でＳＷ１の操作が実行されたか否かを判定する。ここで、第２の設定時間は、第１の設定時間と同様に、カメラ側メインＣＰＵ３０２に予め設定しておいてよく、ユーザーが自由に設定してもよい。
【００２５】
ＳＷ１の操作が実行された場合（ＮＯ）、省電モード３０６から撮影状態に復帰してステップＳ００１へ戻る。このとき、絞り羽根１０４ａは、第１の絞り位置または第２の絞り位置から目標位置へ駆動される。ここで、目標位置は、ユーザーが設定するか、またはカメラ側メインＣＰＵ３０２で決定され得る。一方、ＳＷ１の操作が実行されない場合（ＹＥＳ）、ステップＳ０１２へ進み、オートパワーオフ３０５となり、電源を切る。このとき、絞り羽根１０４ａは、第１の絞り位置または第２の絞り位置から開放絞り位置または最小絞り位置へ駆動される。そして、ステップＳ０１３で、主電源３０４の操作により再度電源オンとなり、ステップＳ００１へ戻る。
【００２６】
次に、オートパワーオフ時に絞り羽根１０４ａが最小絞り位置へ移動する絞りユニット１０４を用いた場合の、図２のステップＳ００６以降の絞り羽根１０４ａの駆動について図３〜図５を参照して説明する。本実施形態では、図３〜図５において一端を開放絞り位置、もう一方の端を最小絞り位置として説明する。また、図３(ａ)〜図５(ａ)は、省電モードの無い場合（従来例）の絞り羽根１０４ａの駆動を示し、図３(ｂ)〜図５(ｂ)は、本実施形態において新たに省電モード３０６を設けた絞り羽根１０４ａの駆動を示す。そして、省電モード３０６から撮影状態に復帰後の目標位置への駆動を移動距離４０１、オートパワーオフ時の動きを移動距離４０２、図２のステップＳ００６で検出された絞り羽根１０４ａの位置を検出位置４０３とする。また、中間絞り位置への動きを移動距離４０４とする。
【００２７】
まず、省電モード３０６から撮影状態に復帰後の目標位置が検出位置４０３より開放絞り側の場合である場合について説明する。カメラ３０１が省電モード３０６を有していない場合、図３(ａ)の移動距離４０２に示すように、電力の浪費を防ぐため、第２の設定時間の経過で、オートパワーオフ３０５になり、絞り羽根１０４ａは、最小絞り位置へ移動する。この場合、主電源３０４がオンになることで、撮影状態に復帰する。撮影状態に復帰しただけでは、絞り制御手段１０６は、絞り羽根１０４ａの位置を検出することができない。また、最小絞り位置からさらに絞込む側へ駆動させようとして、絞り羽根１０４ａが破損する恐れがあるため、絞り羽根１０４ａを一度、開放絞り位置へ移動させ、不図示の開放検知手段にて開放信号を出す。この信号により、絞り制御手段１０６は、絞り羽根１０４ａの位置を検出し、絞り羽根１０４ａを開放絞り位置から目標位置へ移動させる（移動距離４０１）。
【００２８】
次に、図３(ｂ)を参照して、本実施形態に係るカメラ３０１の省電モード３０６を用いた場合の駆動を説明する。図３(ｂ)において、検出位置４０３は、図２のステップＳ００７で、第１の絞り位置と判定されることから、絞り羽根１０４ａは、検出位置４０３から移動することなく、省電モード３０６に移行する。このとき、絞り制御手段１０６は、絞り羽根１０４ａの位置を記憶してから省電モード３０６へ移行する。省電モード３０６移行後、図２のステップＳ０１１で、レリーズボタン３０３でＳＷ１の操作が実行された場合、絞り羽根１０４ａは、記憶した検出位置４０３から目標位置へ移動する（移動距離４０１）。
【００２９】
これにより、開放信号を出力するために開放絞り位置まで移動する必要がないため、その移動を短縮することができる。また、図２のステップＳ０１１で、ＳＷ１の操作が実行されない場合、オートパワーオフ３０５となり絞り羽根１０４ａは、検出位置４０３から最小絞り位置へ移動する（移動距離４０２）。結果として、省電モード３０６を設け、その際の絞り羽根１０４ａの駆動を制御することで、再度、撮影状態に復帰した場合の絞り羽根１０４ａの移動距離４０１を短くする事が出きる。
【００３０】
次に、図４は、目標位置が検出位置４０３より最小絞り側である場合の絞り羽根１０４ａの移動について説明する。図４(ａ)は、図３(ａ)と同様に、カメラ３０１が省電モード３０６を有していない場合の絞り羽根１０４ａの駆動を示す。図４（ａ）も図３(ａ)と同様に、オートパワーオフ３０５から主電源３０４がオンになることで撮影状態に復帰する。この場合も、絞り制御手段１０６は、絞り羽根１０４ａの位置を検出することができない。そのため、絞り羽根１０４ａを一度、開放絞り位置へ移動させ、不図示の開放検知手段にて開放信号を出す。これにより、絞り制御手段１０６は、絞り羽根１０４ａの位置を検出し、絞り羽根１０４ａを開放絞り位置から目標位置へ移動する（移動距離４０１）。
【００３１】
次に、図４(ｂ)を参照して、本実施形態に係るカメラ３０１の省電モード３０６を用いた場合について説明する。図４(ｂ)に示すように、図２のステップＳ００６で検出された絞り羽根１０４ａの検出位置４０３は、第１の絞り位置である。従って、図３(ｂ)の場合と同様に、絞り羽根１０４ａを移動することなく、省電モード３０６に移行する。そして、図２のステップＳ０１１の判定により、絞り羽根１０４ａは、目標位置へ移動（移動距離４０１）またはオートパワーオフ３０５となり、最小絞り位置へ移動する（移動距離４０２）。従って、この場合も、省電モード３０６を有していない場合を示す図４(ａ)と比較して、絞り羽根１０４ａの移動距離４０１は短くなる。また、移動距離４０１が短くなることで、絞り羽根１０４ａ駆動時間の短縮、消費電力を低減することができる。
【００３２】
次に、図２のステップＳ００６で、検出位置４０３が第１の絞り位置以外、すなわち、開放絞り位置または最小絞り位置にいる場合について、図５を参照して説明する。図２のステップＳ００６での検出位置４０３が図５(ｂ)のように開放絞り位置である場合について説明する。このとき、絞り羽根１０４ａは、ステップＳ００７の判定により、ステップＳ００９で、開放絞り位置と最小絞り位置の中間の位置である第２の絞り位置へ移動（移動距離４０４）して、省電モード３０６に移行する。
【００３３】
そして、図２のステップＳ０１１の判定により、第２の絞り位置から目標位置へ移動（移動距離４０１）またはオートパワーオフ３０５となり、最小絞り位置へ移動する（移動距離４０２）。このとき、カメラ３０１がメカシャッターを有する場合、絞り羽根１０４ａは、図２のステップＳ００７の判定から、開放絞り位置で停止し省電モード３０６に移行し、撮影状態に復帰する際に開放信号を検知して、開放絞り位置から目標位置へ移動してもよい。この駆動を、省電モード３０６を用いない場合を示す図５(ａ)と比較すると、図３および図４の場合と同様に、絞り羽根１０４ａの移動距離４０１が短くなり、絞り羽根１０４ａの駆動時間が短縮されることになるので、消費電力を低減することができる。
【００３４】
以上により、本実施形態によれば、消費電力を低減する省電モードを設け、撮影状態へ復帰する際の絞り羽根の移動距離を短くすることで、絞り羽根の駆動時間を短縮し、撮影までのタイムラグを小さくし、さらに消費電力を低減することができる。
【００３５】
以上、本発明の好ましい実施形態について説明したが、本発明はこれらの実施形態に限定されず、カメラとレンズが一体型であってもよく、またビデオカメラなど、その要旨の範囲内で種々の変形及び変更が可能である。
【００３６】
以上、本発明の好ましい実施形態について説明したが、本発明は、これらの実施形態に限定されず、その要旨の範囲内で種々の変形および変更が可能である。
【符号の説明】
【００３７】
１０１    レンズ鏡筒
１０４ａ  絞り羽根
１０５    レンズ側メインＣＰＵ
３０２    カメラ側メインＣＰＵ
３０６    省電モード
【図１】
2015094923.tif 000003
【図２】
2015094923.tif 000004
【図３】
2015094923.tif 000005
【図４】
2015094923.tif 000006
【図５】
2015094923.tif 000007